(57)【要約】【課題】注出時の手首への負担が少なく、注出口の位置によらず、容易に注出操作を行うことができるプッシュ式コックを提供する。【解決手段】容器の口部に取り付けるための取付部１と、容器に収容された液体を注出する注出部２と、取付部１と注出部２とを連結する導液部３とを少なくとも有し、注出部２は、上部に設けられた押しボタン２１と、下部に設けられた注出口２２と、押しボタン２１と注出口２２との間に設けられて注出部２の奥側Ａと手前側Ｂに延びる突出部２３とを有するプッシュ式コック１０により上記課題を解決した。【選択図】図１
2020117235.tif 000002
【特許請求の範囲】
【請求項１】
容器の口部に取り付けるための取付部と、前記容器に収容された液体を注出する注出部と、前記取付部と前記注出部とを連結する導液部とを少なくとも有し、前記注出部は、上部に設けられた押しボタンと、下部に設けられた注出口と、前記押しボタンと前記注出口との間に設けられて前記注出部の奥側と手前側に延びる突出部とを有する、ことを特徴とするプッシュ式コック。
【請求項２】
前記突出部の奥側に延びる部分と手前側に延びる部分は、いずれも指を下側からかけることができる１０〜２０ｍｍの範囲内の長さで形成されている、請求項１に記載のプッシュ式コック。
【請求項３】
前記押しボタンの頂部から前記突出部の下面までの距離が、１０〜５０ｍｍの範囲内である、請求項１又は２に記載のプッシュ式コック。
【請求項４】
前記導液部が、前記突出部の奥側に延びる部分である、請求項１〜３のいずれか１項に記載のプッシュ式コック。
【請求項５】
前記突出部の下面が、平面、又は、指形状に沿った湾曲面若しくは略湾曲面である、請求項１〜４のいずれか１項に記載のプッシュ式コック。
【請求項６】
前記突出部の奥側に延びる部分の位置よりも、手前側に延びる部分の位置が下方に設けられている、請求項１〜５のいずれか１項に記載のプッシュ式コック。
【発明の詳細な説明】
【技術分野】
【０００１】
本発明は、プッシュ式コックに関する。さらに詳しくは、洗濯用液体洗剤や柔軟剤等の液体を収容した容器、例えばプラスチック製容器や袋体を外装箱に収納したバッグインボックス等から液体を注出するためのコックであって、注出時の手首への負担が少なく、注出部の位置によらず、容易に注出操作を行うことができるプッシュ式コックのプッシュ式コックに関する。
【背景技術】
【０００２】
洗濯用液体洗剤や柔軟剤等の液体は、ボトル容器やバッグインボックス容器に収容され、所定量をカップに注出して使用されている例が多い。そのため、所定量を容易に注出することができることが望ましく、使い勝っての良い注出コックが検討されている。そうしたコックの中で、ゴム等の反発を利用して注出部の開閉操作を行うタイプのコックは以前から存在している（例えば特許文献１参照）。
【０００３】
後述の図５に示すように、一般的にこのようなタイプのコック１１０は、注出部１２０の左右に延びる板１２３の下面１２４ａ，１２４ｂを人差し指と中指で支え、注出部上部のゴム部品１２１を親指で押すことで注出口１２２を開口し、内容液の注出が行われる。
【先行技術文献】
【特許文献】
【０００４】
【特許文献１】特表２００３−５３２５９８号公報
【発明の概要】
【発明が解決しようとする課題】
【０００５】
しかしながら、左右に延びる板の下面とゴム部品との間に反力をかける操作は、手首を折り曲げて正面から操作する必要があり、注出時の手首への負担が大きい。特に肩より上に注出部がある場合は、ボタンを下に押し込む際に指に力が入りにくく、容易にボタンを押すことができずに注出操作が大変困難となる。
【０００６】
本発明は、上記課題を解決するためになされたものであって、その目的は、注出時の手首への負担が少なく、注出部の位置によらず、容易に注出操作を行うことができるプッシュ式コックを提供することにある。
【課題を解決するための手段】
【０００７】
本発明に係るプッシュ式コックは、容器の口部に取り付けるための取付部と、前記容器に収容された液体を注出する注出部と、前記取付部と前記注出部とを連結する導液部とを少なくとも有し、前記注出部は、上部に設けられた押しボタンと、下部に設けられた注出口と、前記押しボタンと前記注出口との間に設けられて前記注出部の奥側と手前側に延びる突出部とを有する、ことを特徴とする。
【０００８】
この発明によれば、注出部には、押しボタンと注出口との間で奥側と手前側に前後に延びる突出部が設けられているので、前後に延びる突出部の下面を人差し指と中指で支え、押しボタンを親指で押すことができる。突出部が前後に設けられているので、手首を折り曲げずに操作することができ、注出時の手首への負担が少なく、肩より上に注出部がある場合であってもボタンを下に押し込む際に指に力が入りやすい。その結果、注出部の位置（肩より下、肩と同位置、肩より上）によらず、容易に注出操作を行うことができる。
【０００９】
本発明に係るプッシュ式コックにおいて、前記突出部の奥側に延びる部分と手前側に延びる部分は、いずれも指を下側からかけることができる１０〜２０ｍｍの範囲内の長さで形成されている。この発明によれば、奥側に延びる部分に人差し指をかけ、手前側に延びる部分に中指をかけることができ、さらに押しボタンに親指をかけて、それらの反力で押しボタンを押して注出口から液体を容易に注出することができる。
【００１０】
本発明に係るプッシュ式コックにおいて、前記押しボタンの頂部から前記突出部の下面までの距離が、１０〜５０ｍｍの範囲内である。この発明によれば、指の反力で操作する距離が上記範囲内であるので、それよりも短い距離の場合に比べて握力を加えやすく、容易に操作することができる。特に注出部の位置（肩より下、肩と同位置、肩より上）によらず、肩より上で操作する場合でも握力を容易に加えることができる点で好ましい。
【００１１】
本発明に係るプッシュ式コックにおいて、前記導液部が、前記突出部の奥側に延びる部分であってもよい。
【００１２】
本発明に係るプッシュ式コックにおいて、前記突出部の下面が、平面、又は、指形状に沿った湾曲面若しくは略湾曲面であることが好ましい。この発明によれば、突出部の下面に指をかけやすい。
【００１３】
本発明に係るプッシュ式コックにおいて、前記突出部の奥側に延びる部分の位置よりも、手前側に延びる部分の位置が下方に設けられていてもよい。この発明によれば、奥側に延びる部分に人差し指をかけやすく、手前側に延びる部分に中指をかけやすく、親指を押しボタンにかけて、押しやすい。
【発明の効果】
【００１４】
本発明によれば、注出時の手首への負担が少なく、注出部の位置によらず、容易に注出操作を行うことができるプッシュ式コックを提供することができる。
【図面の簡単な説明】
【００１５】
【図１】本発明に係るプッシュ式コックの一例を示す斜視図である。
【図２】本発明に係るプッシュ式コックの一例を示す右側面図である。
【図３】本発明に係るプッシュ式コックの他の一例を示す右側面図である。
【図４】本発明に係るプッシュ式コックの操作の説明図である。
【図５】従来のプッシュ式コックの正面図（Ａ）とその操作の説明図（Ｂ）である。
【発明を実施するための形態】
【００１６】
本発明に係るプッシュ式コックについて図面を参照しつつ説明する。なお、本発明は下記実施の形態に記載の内容に限定されるものではなく、特許請求の範囲に記載されている事項の範囲内で考えられるその他の実施の形態や使用例も含む。また、本発明に係る要旨を逸脱しない範囲内であれば種々の変更や上記実施の形態の組み合わせを施してもよい。
【００１７】
［プッシュ式コック］
本発明に係るプッシュ式コック１０は、図１〜図４に示すように、容器の口部に取り付けるための取付部１と、容器に収容された液体を注出する注出部２と、取付部１と注出部２とを連結する導液部３とを少なくとも有している。そして、注出部２は、上部に設けられた押しボタン２１と、下部に設けられた注出口２２と、押しボタン２１と注出口２２との間に設けられて注出部２の奥側Ａと手前側Ｂに延びる突出部２３とを有することに特徴がある。
【００１８】
このプッシュ式コック１０は、注出部２には、押しボタン２１と注出口２２との間で奥側Ａと手前側Ｂの前後方向Ｙに延びる突出部２３が設けられているので、前後に延びる突出部２３（２３ａ，２３ｂ）の下面２４ａ，２４ｂを人差し指と中指で支え、押しボタン２１を親指で押すことができる。突出部２３が前後に設けられているので、手首を折り曲げずに操作することができ、注出時の手首への負担が少なく、肩より上に注出部２がある場合であってもボタンを下に押し込む際に指に力が入りやすい。その結果、注出部２の位置（肩より下、肩と同位置、肩より上）によらず、容易に注出操作を行うことができる。
【００１９】
以下、各構成について説明する。なお、プッシュ式コックが取り付けられる口部及びその口部を備える容器は図示していないが、容器は、例えば、プラスチック製タンク等や、バッグインボックスの袋体等を例示でき、口部は、バッグインボックスの場合では通常、袋体を収容する外装箱（図示しない）に固定されるものを例示でき、いずれも周知である。図１中、符号Ｘは左右方向であり、符号Ｙは前後方向であり、符号Ｚは上下方向である。
【００２０】
取付部１は、図１等に示すように、容器の口部に取り付けるための部分である。この取付部１は、容器の口部に取り付けられるものであれば、その形状は特に限定されない。取付部１は、通常、雄ねじに形成された口部に螺合できるように、雌ねじ構造になっているが、その逆であっても構わない。
【００２１】
導液部３は、取付部１と注出部２とを連結する部分であり、容器内の液体を注出部２に導くことができる貫通穴（図示しない）が形成されている。
【００２２】
注出部２は、容器に収容された液体を注出する部分である。本発明は、この注出部２が、上部に設けられた押しボタン２１と、下部に設けられた注出口２２と、押しボタン２１と注出口２２との間に設けられて注出部２の奥側Ａと手前側Ｂに延びる突出部２３とを有することに特徴がある。
【００２３】
押しボタン２１は、注出部２の上部に設けられ、押すことによって注出口２２を開閉するように作用する部分である。押しボタン２１の頂部２１ａから突出部２３の下面２４ａ，２４ｂまでの距離Ｌ２は、特に限定されないが、１０〜５０ｍｍの範囲内であることが好ましい。こうすることにより、指の反力で操作する距離Ｌ２が上記範囲内であるので、それよりも短い距離の場合に比べて握力を加えやすく、容易に操作することができる。特に注出部２の位置（肩より下、肩と同位置、肩より上）によらず、肩より上で操作する場合でも握力を容易に加えることができる。
【００２４】
注出口２２は、容器に収容された液体を注出する注出部２の先端部分である。注出口２２から注出される液体は、通常、任意に取り付けられた計量カップ等に液体を供給する。
【００２５】
突出部２３は、図１〜４に示すように、押しボタン２１と注出口２２との間に設けられて注出部２の奥側Ａと手前側Ｂに延びるように設けられている。突出部２３の奥側に延びる部分２３ａと手前側に延びる部分２３ｂは、いずれも指を下側からかけることができる長さＬ１で形成されていることが好ましい。そうした長さＬ１としては、１０〜２０ｍｍ程度の範囲内の長さであることが好ましい。こうすることにより、奥側に延びる部分２３ａに人差し指をかけ、手前側に延びる部分２３ｂに中指をかけることができ、さらに押しボタン２１に親指をかけて、それらの反力で押しボタン２１を押して注出口２２から液体を容易に注出することができる。
【００２６】
突出部２３の下面２４ａ，２４ｂは、平面、又は、指形状に沿った湾曲面若しくは略湾曲面になっていることが好ましい。図２及び図３の側面図からもわかるように、例えば手前側に延びる部分２３ｂの先端を、下方にやや厚くすることで、その先端側の下面２４ｂをなだらかな湾曲状にすることができる。こうすることにより、突出部２３の下面２４ａ，２４ｂに指をかけやすい。なお、もちろん平面であっても構わない。
【００２７】
図３の例は、突出部２３の奥側に延びる部分２３ａの位置よりも、手前側に延びる部分２３ｂの位置が上下方向Ｚの下方に設けられている場合を示している。こうすることにより、奥側に延びる部分２３ａに人差し指をかけやすく、手前側に延びる部分２３ｂに中指をかけやすく、親指を押しボタン２１にかけて、押しやすい。奥側に延びる部分２３ａの下面２４ａの位置と手前側に延びる部分２３ｂの下面２４ｂの位置との差Ｌ３は、特に限定されないが、例えば５〜３０ｍｍの範囲内とすることができる。
【００２８】
なお、図３の例では、突出部２３の奥側に延びる部分２３ａを導液部３と兼ねているが、こうした構造形態にしても構わない。
【００２９】
以上説明したように、本発明では、突出部２３が前後に設けられているので、手首を折り曲げずに操作することができ、注出時の手首への負担が少なく、肩より上に注出部２がある場合であってもボタンを下に押し込む際に指に力が入りやすい。その結果、注出部２の位置（肩より下、肩と同位置、肩より上）によらず、容易に注出操作を行うことができる。
【符号の説明】
【００３０】
１０  プッシュ式コック
１  取付部
２  注出部
３  導液部
２１  押しボタン
２１ａ  頂部
２２  注出口
２３  突出部
２３ａ  奥側に延びる部分
２３ｂ  手前側に延びる部分
２４ａ，２４ｂ  下面
Ａ  奥側
Ｂ  手前側
Ｌ１  指を下側からかけることができる長さ
Ｌ２  ボタンの頂部から突出部の下面までの距離
Ｌ３  奥側に延びる部分の位置と手前側に延びる部分位置との差
Ｘ  左右方向
Ｙ  前後方向
Ｚ  上下方向
１１０  従来のプッシュ式コック
１２０  注出部
１２１  注出部上部のゴム部品
１２２  注出口
１２３  左右に延びる板
１２４ａ，１２４ｂ  下面
【図１】
2020117235.tif 000003
【図２】
2020117235.tif 000004
【図３】
2020117235.tif 000005
【図４】
2020117235.tif 000006
【図５】
2020117235.tif 000007